(57)【要約】【目的】ユーザーが使用済みペットボトルの本体を手に持って気軽に物体表面などの清掃に使用できるような清掃用具用アタッチメントを提供する。【構成】使用済みペットボトルの口部と対向するように且つ前記ペットボトルの上下方向と略直交する方向に延びるように配置され、ペットボトルからの水を排出可能な複数の孔が形成された筒状部と、前記筒状部と前記ペットボトルとを接続する接続部と、前記筒状部の前記ペットボトルと反対側の端部に取り付けられ、スポンジ、フェルト、又は不織布などの柔軟な素材から成る略シート状又は略直方体状に形成された拭き取り部とを備えた清掃用具用アタッチメントである。【選択図】    図１
0003178552.tif 000002
【実用新案登録請求の範囲】
【請求項１】
使用済みペットボトルの口部と対向するように且つ前記ペットボトルの上下方向と略直交する方向に延びるように配置され、前記ペットボトルからの水をその内部に受け入れ可能であり、前記ペットボトルと反対側の端部又はその近傍部分の側面に前記ペットボトルから受け入れた水を外部に排出可能な複数の小さな孔が形成されている筒状部と、
前記筒状部に備えられる接続部であって、前記ペットボトルの口部に着脱自在に取り付け可能であり、前記ペットボトルからの水が前記筒状部に移動可能に前記筒状部と前記ペットボトルとを接続する接続部と、
前記筒状部の前記ペットボトルと反対側の端部に取り付けられ、スポンジ、フェルト、又は不織布などの柔軟な素材から成り、前記筒状部の前記接続部と反対側の端面の略全体と対向するように略シート状又は略直方体状に形成され且つ前記端面に当接するように前記筒状部に取付け又は固定された拭き取り部と、
を備えたペットボトルを利用した物体表面の清掃用具用アタッチメント。
【請求項２】
使用済みペットボトルの口部と対向するように且つ前記ペットボトルの上下方向と略直交する方向に延びるように配置され、前記ペットボトルからの水をその内部に受け入れ可能であり、前記ペットボトルと反対側の端面に前記ペットボトルから受け入れた水を外部に排出可能な複数の小さな孔が形成されている筒状部と、
前記筒状部に備えられる接続部であって、前記ペットボトルの口部に着脱自在に取り付け可能であり、前記ペットボトルからの水が前記筒状部に移動可能に前記筒状部と前記ペットボトルとを接続する接続部と、
前記筒状部の前記ペットボトルと反対側の端面に取り付けられ、スポンジ、フェルト、又は不織布などの柔軟な水分保持性の素材から成り、前記筒状部の前記各孔が形成された端面の略全体と対向するように略シート状又は略直方体状に形成され且つ前記端面に当接するように前記筒状部に取付け又は固定された拭き取り部と、
を備えたペットボトルを利用した物体表面の清掃用具用アタッチメント。
【請求項３】
請求項１又は２において、前記筒状部と接続部とはその平面が全体として略Ｔ字状となるように一体に形成されていることを特徴とするペットボトルを利用した物体表面の清掃用具用アタッチメント。
【請求項４】
請求項２において、前記各孔は前記筒状部の端面（前記拭き取り部が当接される端面）の略全体に散在するように形成されていることを特徴とするペットボトルを利用した物体表面の清掃用具用アタッチメント。
【考案の詳細な説明】
【技術分野】
【０００１】
本考案は、使用済みペットボトルを利用した対象物体の平面や曲面や凹凸面を含む表面を清掃する用具用のアタッチメント（ペットボトル用アタッチメント）に関する。
【背景技術】
【０００２】
近年、使用済みペットボトルを利用した製品が種々提案されている。例えば、特許文献１はペットボトルの口部にペットボトル内の水を噴出可能なノズル装置を取り付けた携帯型の局部洗浄器を提案している。
【先行技術文献】
【特許文献】
【０００３】
【特許文献１】特許第４２６７５９０号公報
【考案の概要】
【考案が解決しようとする課題】
【０００４】
特許文献１に示すような局部洗浄器は、単に水を噴出するノズル装置に水を供給する供給源として使用済みペットボトルを利用したというもので、ユーザーが把持する対象はあくまでノズル装置であり使用済みペットボトルは床などに載置して使用するものである。そのため、特許文献１に示すような局部洗浄器においては、ユーザーが使用済みペットボトルの本体を手に持って手軽に清掃に使用することなどはできない。このように、従来は、ユーザーが使用済みペットボトルの本体を手に持って物体表面などを手軽に清掃に使用できるような清掃用具は存在していなかった。
【０００５】
本考案はこのような従来技術の課題に着目してなされたものであって、ユーザーが使用済みペットボトルの本体を手に持って物体表面などを手軽に清掃できる清掃用具用アタッチメントを提供することを目的とする。
【課題を解決するための手段】
【０００６】
以上のような課題を解決するための請求項１の考案によるペットボトルを利用した物体表面の清掃用具用アタッチメントは、使用済みペットボトルの口部と対向するように且つ前記ペットボトルの上下方向と略直交する方向に延びるように配置され、前記ペットボトルからの水をその内部に受け入れ可能であり、前記ペットボトルと反対側の端部又はその近傍の側面に前記ペットボトルから受け入れた水を外部に排出可能な複数の小さな孔が形成されている筒状部と、前記筒状部に備えられた接続部であって、前記ペットボトルの口部に着脱自在に取り付け可能であり、前記ペットボトルからの水が前記筒状部に移動可能に前記筒状部と前記ペットボトルとを接続する接続部と、前記筒状部の前記ペットボトルと反対側の端部（前記接続部と反対側の端部）に取り付けられ、スポンジ、フェルト、又は不織布などの柔軟な素材から成り、前記筒状部の前記接続部と反対側の端面の略全体と対向するように略シート状又は略直方体状に形成され且つ前記端面に当接するように前記筒状部に取付け又は固定される拭き取り部と、を備えたものである。
【０００７】
また、請求項２の考案によるペットボトルを利用した物体表面の清掃用具用アタッチメントは、使用済みペットボトルの口部と対向するように且つ前記ペットボトルの上下方向と略直交する方向に延びるように配置され、前記ペットボトルからの水をその内部に受け入れ可能であり、前記ペットボトルと反対側の端面に前記ペットボトルから受け入れた水を外部に排出可能な複数の小さな孔が形成されている筒状部と、前記筒状部に備えられる接続部であって、前記ペットボトルの口部に着脱自在に取り付け可能であり、前記ペットボトルからの水が前記筒状部に移動可能に前記筒状部と前記ペットボトルとを接続する接続部と、前記筒状部の前記ペットボトルと反対側の端面（前記接続部と反対側の端面）に取り付けられ、スポンジ、フェルト、又は不織布などの柔軟な水分保持性の素材から成り、前記筒状部の前記各孔が形成された端面の略全体と対向するように略シート状又は略直方体状に形成され且つ前記端面に当接するように前記筒状部に取付け又は固定される拭き取り部とを備えたものである。
【０００８】
また、上記のペットボトルを利用した物体表面の清掃用具用アタッチメントにおいては、前記筒状部と接続部とは、その平面が全体として略Ｔ字状となるように（例えば樹脂材料などで）一体に形成されていることが望ましい。
【０００９】
さらに、上記のペットボトルを利用した物体表面の清掃用具用アタッチメントにおいては、前記各孔は前記筒状部の端面（拭き取り部が当接される面）の全体に散在するように形成されていることが望ましい。
【考案の効果】
【００１０】
請求項１の考案によれば、使用済みペットボトルの口部に前記接続部を介して前記筒状部を取り付けて使用するとき、前記ペットボトル内の水が前記接続部を介して筒状部内に流入し、前記筒状部の前記各孔から水分が清掃対象物体の表面上に滴下される。よって、本考案に係る清掃用具を使用するときは、常に、前記各孔から適量の水分が前記表面上に滴下されるので、清掃対象の物体の表面が平面状、曲面状その他凹凸があるものであっても、ユーザーが使用済みペットボトルの本体を手に持って、前記水分を保持した拭き取り部を前記表面に対して摺動させるという手軽な動作を行なうだけで、前記表面上の汚れが極めて容易に除去されるようになる。
【００１１】
また請求項２の考案によれば、使用済みペットボトルの口部に前記接続部を介して前記筒状部を取り付けて使用するとき、前記ペットボトル内の水が前記接続部を介して筒状部内に流入し、さらに前記筒状部内の水が前記複数の各孔から前記の「柔軟な水分保持性の素材から成る、略シート状又は略直方体状の拭き取り部」の内部に移動する。よって、本考案に係る清掃用具を使用するときは、前記拭き取り部が常に適量の水分を保持し且つ全体が柔軟に形成されているので、清掃対象の物体の表面が平面状、曲面状その他凹凸があるものであっても、ユーザーが使用済みペットボトルの本体を手に持って、前記水分を保持した拭き取り部を前記表面に対して摺動させるという手軽な動作を行なうだけで、前記表面上の汚れが極めて容易に除去されるようになる。
【００１２】
また、請求項１及び請求項２の考案では、前記拭き取り部が、前記ペットボトルの上下方向と略直交する方向に細長く延びるように形成されているので、ユーザーは、対象物体の表面に対して前記拭き取り部を接触させながら一回移動させるだけで、一度に広い面積に渡って汚れを除去することができる。
【００１３】
さらに、請求項２の考案において、前記筒状部の前記端面（拭き取り部が当接される面）の略全体に散在するように形成された複数の各孔から前記ペットボトルからの水が適量ずつ略均一に排出されるようにしたときは、前記拭き取り部の全体が略均等に適量の水分を保持するようになり、前記拭き取り部の一部が水分を含んでいないために対象物体の表面を移動させても清掃にムラが生じてしまうなどの不都合を防止することができる。
【図面の簡単な説明】
【００１４】
【図１】本考案の実施形態１による接続部、筒状部、及び拭き取り部を示す概略平面図である。
【図２】本実施形態１による接続部、筒状部、及び拭き取り部を示す概略背面図である。
【図３】本実施形態１による接続部、筒状部、及び拭き取り部を示す概略側面図である。
【図４】本実施形態１におけるアタッチメントの装着・使用方法を示す概略説明図である。
【図５】本考案の実施形態２を説明するための概略斜視図（筒状部に拭き取り部をこれから取り付ける状態又は筒状部から拭き取り部を取り外した状態を示す斜視図）である。
【考案を実施するための形態】
【００１５】
〔実施形態１〕
次に、図面を参照して本考案の実施形態１に係る清掃用具用アタッチメント１を説明する。図１は本実施形態１による清掃用具用アタッチメント１を構成する接続部、筒状部、及び拭き取り部を示す平面図、図２はその背面図、図３はその側面図である。図１〜３において、２は略筒状の接続部で、その一方の端部２ａの内面側にペットボトルの口部（外面側に螺旋状の凹凸部が形成されている）に嵌合可能な螺旋状の凹凸部（溝部）が内面側に形成されており、その他方の端部２ｂに後述の筒状部３が一体に接続・連設されている樹脂製の接続部である。
【００１６】
また図１〜３において、３は前記ペットボトルの上下方向と略直交する方向に細長く延びるように形成され、前記接続部２の端部２ｂがその略中央部分に一体に形成されている筒状部である。図２に示すように、前記筒状部３の背面（底面）側には、その略全体に渡って、前記ペットボトルからの水を排出可能な複数の（例えば８個の）孔３ａが、前記ペットボトルの上下方向と略直交する方向に並ぶように、略均一のピッチで形成されている。
【００１７】
また図１〜３において、４は前記筒状部３の前記接続部２と反対側の端面３ｂに取付けられた拭き取り部である。前記拭き取り部４は、例えばスポンジから成り、前記筒状部３の前記接続部２と反対側の端面３ｂの略全面と対向するような略シート状又は略直方体状に形成され且つ前記端面３ｂに当接するように前記筒状部３に接着などの公知の方法で固定されている。
【００１８】
図４はこのような本実施形態１におけるアタッチメントの装着（前記接続部２のペットボトル５の口部５ａへの取付け）及び使用方法などを説明するための図である。本実施形態１では、前述のように互いに一体に形成された接続部２及び筒状部３（これらは全体として平面が「略Ｔ字状」に形成されている）に前記拭き取り部４を取り付けたものを清掃用具用アタッチメント１として構成している。すなわち、本実施形態１によれば、図４に示すように、前記の接続部２、筒状部３及び拭き取り部４からなる清掃用具用アタッチメント１を、前記接続部２により、予め水が入れられたペットボトル５の口部５ａに嵌合して取り付けることだけで、対象物体の表面を水分を利用して手軽に拭き取り可能な清掃用具とすることができる。
【００１９】
このようにして得られた清掃用具を使用するときは、ユーザーが前記使用済みペットボトル５の本体を手に持って、前記拭き取り部４を対象物体の表面に当てて移動させるだけで、前記筒状部３の各孔３ａから水が適量ずつ滴下され対象物体の表面を濡らし、その濡れた表面の上を前記スポンジ製の拭き取り部４が移動（摺動）する。よって、本実施形態１によれば、対象物体の表面をそれが平面状でも曲面状でもその他凹凸があるような表面でも、手軽に、その表面の汚れなどを容易に拭き取ることが可能になる。
【００２０】
〔実施形態２〕
次に本考案の実施形態２を説明する。本実施形態２は前記実施形態１と基本的な構成は同一であるので、異なっている部分だけを説明する。前記実施形態１においては、前記ペットボトル５からの水を排出する孔３ａが前記筒状部３の前記接続部２と反対側の端部又はその近傍部分の側面に形成され、前記ペットボトル５からの水が、前記各孔３ａから直接に対象物体の表面に滴下されていたが、これに対して、本実施形態２においては、図５に示すように、前記筒状部３内の水を排出する孔３ｃが前記筒状部３の前記接続部２と反対側の端部の端面３ｂに、その略全体に渡って互いに略等間隔で散在するように形成され、前記ペットボトルからの水は、この各孔３ｃから前記スポンジ製の拭き取り部６の内部に供給されるようになっている。
【００２１】
このように、本実施形態２では、前記筒状部３内の水が前記端面３ｂに形成された複数の各孔３ｃから前記スポンジ製の拭き取り部６の内部に供給されて前記拭き取り部６を濡らし、その濡れた拭き取り部６が対象物体の表面を滑らかに移動しつつ汚れを拭き取れるようになっている。よって、本実施形態２によっても、前記実施形態１と同様に、対象物体の表面を、それが平面状でも曲面状でもその他凹凸があるような表面でも、手軽に、その表面の汚れなどを容易に拭き取ることが可能になる。
【００２２】
以上、本考案の各実施形態１，２について説明したが、本考案及び本考案を構成する各構成要件は、それぞれ、前記の各実施形態１，２として述べたものに限定されるものではなく、様々な修正及び変更が可能である。例えば、前記各実施形態１，２では、前記拭き取り部４，６をスポンジ製としたが、本考案においては、前記拭き取り部４，６は、スポンジ以外の素材でも可能であり、例えばフェルトや不織布などのような柔軟な素材（又は水分保持性のある素材）から成るものであれば、その素材の種類を問わず含まれるものである。
【符号の説明】
【００２３】
１          掃除用具用アタッチメント
２          接続部
２ａ，２ｂ         端部
３          筒状部
３ａ，３ｃ         孔
３ｂ     端面（端部）
４，６  拭き取り部
５          ペットボトル
５ａ      口部
【図１】
0003178552.tif 000003
【図２】
0003178552.tif 000004
【図３】
0003178552.tif 000005
【図４】
0003178552.tif 000006
【図５】
0003178552.tif 000007